(57)【要約】【課題】ユーザが希望する画像作成者を選択して似顔絵、建物や名所等の絵等の画像作成のサービスを受けることが可能である。【解決手段】この画像作成サービスシステムは、ネットワーク１と、ネットワーク１に接続され、画像作成の注文を行なうユーザ端末２と、ネットワーク１に接続され、複数の画像作成者の選択情報を有する受発注サーバ２とを有し、ユーザ端末３から複数の画像作成者の選択情報から所定の画像作成者を選択し、選択された画像作成者に画像作成を注文する。【選択図】図１
2005078362.tif 000002
【特許請求の範囲】
【請求項１】
ネットワークと、
前記ネットワークに接続され、画像作成の注文を行なうユーザ端末と、
前記ネットワークに接続され、複数の画像作成者の選択情報を有する受発注サーバとを有し、
前記ユーザ端末から前記複数の画像作成者の選択情報から所定の画像作成者を選択し、選択された画像作成者に画像作成を注文することを特徴とする画像作成サービスシステム。
【請求項２】
前記画像作成の注文は、ユーザの写真画像を用いて行うことを特徴とする請求項１に記載の画像作成サービスシステム。
【請求項３】
前記作成画像の種類は、少なくとも似顔絵を含むことを特徴とする請求項１に記載の画像作成サービスシステム。
【請求項４】
前記複数の画像作成者の選択情報は、少なくとも画像作成者の名前、似顔絵、プロフィール、作風、作成見本、人気度、直筆原画注文の有無、作成画像の種類のいずれかを含むことを特徴とする請求項１に記載の画像作成サービスシステム。
【請求項５】
前記人気度は、作成された画像に基づき前記ユーザ端末からユーザが満足度の投票によって決定されることを特徴とする請求項４に記載の画像作成サービスシステム。
【請求項６】
前記人気度は、前記ユーザ端末からの画像作成者の選択回数によって決定されることを特徴とする請求項４に記載の画像作成サービスシステム。
【請求項７】
前記ユーザ端末は、画像作成の原画及び作成に必要な情報を、前記受発注サーバへ送信することを特徴とする請求項１乃至請求項６のいずれか１項に記載の画像作成サービスシステム。
【請求項８】
前記画像作成は、デジタル画像、直筆原画を含むことを特徴とする請求項１乃至請求項７のいずれか１項に記載の画像作成サービスシステム。
【請求項９】
前記作成されたデジタル画像を、ユーザに受発注管理者のＵＲＬで閲覧可能にすることを特徴とする請求項８に記載の画像作成サービスシステム。
【請求項１０】
前記ユーザ端末から作成された直筆原画を注文することを特徴とする請求項８に記載の画像作成サービスシステム。
【発明の詳細な説明】
【技術分野】
【０００１】
この発明は、ユーザが希望する画像作成者を選択することで、好みの作風の画像で似顔絵、建物や名所等の絵等の画像作成のサービスをネットワークを介して受けることができる画像作成サービスシステムに関する。
【背景技術】
【０００２】
従来、似顔絵作成者が、その場所にいなくても手書きの似顔絵を作成できるとともに、その似顔絵を電子データとして管理ホストコンピュータ内データベースに保存管理し、様々な商品に印刷あるいは出力用のデータとして共用できるようにしたものがある（例えば特許文献１）。
【特許文献１】特開２００３−６７５８５号公報
【発明の開示】
【発明が解決しようとする課題】
【０００３】
ところで、従来の似顔絵を作成するシステムでは、似顔絵作成者が、その場所にいなくても手書きの似顔絵を作成できるが、ユーザは似顔絵作成者を自由に選択することができないため、似顔絵作成者の似顔絵がユーザの好みになっていないことがある。
【０００４】
また、例えば、似顔絵は、Ｗｅｂ画面、携帯待ち受け等様々な用途に用いることがあり、あるいは似顔絵を出産、誕生日または敬老の日などのお祝いごとや、七五三、入学などの成長の節目にプレゼントとして用いると、他の人とは一味違う贈り物になる。さらに、完成した似顔絵で、名刺やメモ帳等のオリジナルグッツも作れる等、似顔絵の楽しみ方が一層広がっている。
【０００５】
このように、ユーザは似顔絵を用いる用途によって原画に近いものにしたり、特に髪型、目、鼻等の特徴を誇張したものにしたい場合があり、さらに似顔絵に限定されず、建物や名所等の絵等が必要な場合があり、このような場合に応じてユーザが画像作成者を選択することができれば、ユーザが一層満足する似顔絵等を提供することができる。
【０００６】
この発明は、かかる点に鑑みてなされたもので、ユーザが希望する画像作成者を選択して似顔絵、建物や名所等の絵等の画像作成のサービスを受けることが可能な画像作成サービスシステムを提供することを目的としている。
【課題を解決するための手段】
【０００７】
前記課題を解決し、かつ目的を達成するために、この発明は、以下のように構成した。
【０００８】
請求項１に記載の発明は、ネットワークと、
前記ネットワークに接続され、画像作成の注文を行なうユーザ端末と、
前記ネットワークに接続され、複数の画像作成者の選択情報を有する受発注サーバとを有し、
前記ユーザ端末から前記複数の画像作成者の選択情報から所定の画像作成者を選択し、選択された画像作成者に画像作成を注文することを特徴とする画像作成サービスシステムである。
【０００９】
請求項２に記載の発明は、前記画像作成の注文は、ユーザの写真画像を用いて行うことを特徴とする請求項１に記載の画像作成サービスシステムである。
【００１０】
請求項３に記載の発明は、前記作成画像の種類は、少なくとも似顔絵を含むことを特徴とする請求項１に記載の画像作成サービスシステムである。
【００１１】
請求項４に記載の発明は、前記複数の画像作成者の選択情報は、少なくとも画像作成者の名前、似顔絵、プロフィール、作風、作成見本、人気度、直筆原画注文の有無、作成画像の種類のいずれかを含むことを特徴とする請求項１に記載の画像作成サービスシステムである。
【００１２】
請求項５に記載の発明は、前記人気度は、作成された画像に基づき前記ユーザ端末からユーザが満足度の投票によって決定されることを特徴とする請求項４に記載の画像作成サービスシステムである。
【００１３】
請求項６に記載の発明は、前記人気度は、前記ユーザ端末からの画像作成者の選択回数によって決定されることを特徴とする請求項４に記載の画像作成サービスシステムである。
【００１４】
請求項７に記載の発明は、前記ユーザ端末は、画像作成の原画及び作成に必要な情報を、前記受発注サーバへ送信することを特徴とする請求項１乃至請求項６のいずれか１項に記載の画像作成サービスシステムである。
【００１５】
請求項８に記載の発明は、前記画像作成は、デジタル画像、直筆原画を含むことを特徴とする請求項１乃至請求項７のいずれか１項に記載の画像作成サービスシステムである。
【００１６】
請求項９に記載の発明は、前記作成されたデジタル画像を、ユーザに受発注管理者のＵＲＬで閲覧可能にすることを特徴とする請求項８に記載の画像作成サービスシステムである。
【００１７】
請求項１０に記載の発明は、前記ユーザ端末から作成された直筆原画を注文することを特徴とする請求項８に記載の画像作成サービスシステムである。
【発明の効果】
【００１８】
前記構成により、この発明は、以下のような効果を有する。
【００１９】
請求項１に記載の発明では、ユーザ端末から複数の画像作成者の選択情報から所定の画像作成者を選択し、選択された画像作成者に画像作成を注文することで、ユーザが希望する似顔絵、建物や名所等の絵等の画像作成のサービスを受けることができる。
【００２０】
請求項２に記載の発明では、画像作成の注文をユーザの写真画像を用いて行ない、ユーザが所持する画像データで好みの作風で画像を作ることが可能になる。
【００２１】
請求項３に記載の発明では、少なくとも似顔絵の画像作成のサービスを受けることで、例えばＷｅｂ画面、携帯待ち受け等様々な用途に用いることができる。
【００２２】
請求項４に記載の発明では、複数の画像作成者の選択情報は、少なくとも画像作成者の名前、似顔絵、プロフィール、作風、作成見本、人気度、直筆原画注文の有無、作成画像の種類のいずれかを含み、ユーザが例えば好みに応じ、あるいは用途に応じて、容易に画像作成者を選択することができる。
【００２３】
請求項５に記載の発明では、人気度が作成された画像に基づきユーザ端末からユーザが満足度の投票によって決定され、ユーザの満足度を反映した画像作成者の選択が可能である。
【００２４】
請求項６に記載の発明では、人気度がユーザ端末からの画像作成者の選択回数によって決定され、ユーザの選択回数を反映した画像作成者の選択が可能である。
【００２５】
請求項７に記載の発明では、画像作成の原画及び作成に必要な情報を、受発注サーバへ送信することで、画像作成者はよりユーザの満足する画像を作成することができる。
【００２６】
請求項８に記載の発明では、画像作成は、デジタル画像、直筆原画を含み、デジタル画像は、例えば、Ｗｅｂ画面、携帯待ち受け等に用い、直筆原画はプレゼントとして用いる等、楽しみ方を一層広げることができる。
【００２７】
請求項９に記載の発明では、作成されたデジタル画像を、ユーザに受発注管理者のＵＲＬで閲覧可能にし、ユーザからの修正等に応じることができる。
【００２８】
請求項１０に記載の発明では、ユーザ端末から作成された直筆原画を、容易に注文することができる。
【発明を実施するための最良の形態】
【００２９】
以下、この発明の画像作成サービスシステムの実施の形態について説明するが、この発明は、この実施の形態に限定されない。また、この発明の実施の形態は、発明の最も好ましい形態を示すものであり、この発明の用語はこれに限定されない。
【００３０】
図１は画像作成サービスシステムを示す図である。図１において、ネットワーク１に、受発注サーバ２、ユーザ端末３、画像作成者端末４、受発注管理者端末５が接続され、それぞれネットワーク１を介して通信可能となっている。
【００３１】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００３２】
受発注サーバ２は、ネットワーク１を介し、画像作成注文の受付、画像作成注文に基づき画像作成作業の発注及び受発注管理を行なうと共に、画像作成注文に用いる複数の画像作成者の選択情報の閲覧、保管、顧客情報管理など、ネットワーク画像作成サービスを提供可能な機能を有する。
【００３３】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。デジタルカメラを備える携帯電話では、デジタルカメラの撮像で画像の取り込みを行なうことができ、デジタルカメラを備えない携帯電話では、他の電子機器からの通信により画像を受信して画像の取り込みを行なうことができる。
【００３４】
このユーザ端末３では、複数の画像作成者の選択情報から所定の画像作成者を選択し、画像作成の原画及び作成に必要な情報を、受発注サーバ２へ送信し、選択された画像作成者に画像作成を注文する。複数の画像作成者の選択情報は、少なくとも画像作成者の名前、似顔絵、プロフィール、作風、作成見本、人気度、直筆原画注文の有無、作成画像の種類のいずれかを含む。作成画像の種類は、少なくとも似顔絵を含み、その他建物や名所等の絵等がある。
【００３５】
人気度は、作成された画像に基づきユーザ端末３からユーザが満足度の投票によって決定される。また、人気度は、ユーザ端末３からの画像作成者の選択回数によって決定されるようにしてもよいし、後述するユーザから評価を累積したものを用いてもよい。
【００３６】
画像作成の原画として、デジタルカメラや携帯電話のカメラで撮像した画像をユーザ端末３に接続して読み込み、あるいは印画紙や普通紙等に記録した画像をスキャナで読み込み送信する。作成に必要な情報としては、例えば作成する画像が似顔絵の場合、性別、年齢、背景選択の有無等である。この場合、画像の作成申込みだけをユーザ端末３を用いて行い、ユーザの印画紙や普通紙等に記録された画像は郵便や宅配を利用して別途発注管理者や画像作成者に送るようにしても良い。
【００３７】
また、画像作成者がデジタル画像、直筆原画を作成する場合、あるいは直筆原画のみを作成する場合には、ユーザ端末３から作成された直筆原画を注文することもできる。
【００３８】
受発注管理者端末５は、受発注サーバ２を介して画像作成注文の受付、画像作成注文に基づき、選択された画像作成者に画像作成作業の発注及び受発注管理を行なうと共に、画像作成に用いる画像を表示可能である。また、作成されたデジタル画像は、ユーザに受発注管理者のＵＲＬで閲覧可能にし、ユーザからの修正等に応じることができる。
【００３９】
画像作成者端末４は、画像作成者の会社、事務所等に配置され、画像作成画面上での画像作成作業の発注に基づき画像作成作業を行なう。
【００４０】
次に、図２に基づいて画像作成サービスシステムのフローを説明する。ユーザ端末３からユーザは、提供サービスから例えば提供可能な似顔絵サービスを選択し（ステップＳ１）、複数の画像作成者の選択情報を参照し（ステップＳ２）、所定の画像作成者を選択する（ステップＳ３）。このようにして画像作成者を選択すると注文へ移行し（ステップＳ４）、画像作成の原画及び作成に必要な情報を入力して受発注サーバ２へ送信する（ステップＳ５）。
【００４１】
選択された画像作成者が画像作成の原画及び作成に必要な情報に基づき画像の作成を作成して完了すると（ステップＳ６）、管理者はメールでユーザへ完了通知を送信し（ステップＳ７）、作成されたデジタル画像を受発注管理者のＵＲＬで閲覧可能にする（ステップＳ８）。ユーザは、作成されたデジタル画像を受発注管理者のＵＲＬで閲覧し、修正が必要な場合には修正指令を送信する（ステップＳ９）。この修正指令に基づき画像作成者が画像修正を行ない、この修正が終了すると（ステップＳ１０）、作成された画像をユーザに送付する（ステップＳ１１）。
【００４２】
作成された画像のユーザへの送付は、ユーザ端末３での作成されたデジタル画像のダウンロードで行なう。あるいは管理者側でプリントアウトして郵送する。あるいは直筆原画の注文の場合は郵送する。
【００４３】
ユーザは、作成された画像を受け取って、選択された画像作成者の評価を行なう。この評価は、例えば作成された画像に基づきユーザ端末３からユーザが満足度を投票することによって行なう（ステップＳ１２）。
【００４４】
次に、画像作成サービスシステムを操作画面に基づいて説明する。図３はユーザ端末に表示される画像作成者の選択画面である。
【００４５】
この実施の形態の画像作成者の選択画面１０には、複数の画像作成者の選択情報として、画像作成者の名前１０ａ、似顔絵１０ｂ、プロフィール１０ｃ、デフォルメ調、イラスト調、正統派等の作風１０ｄ、作成見本１０ｅ、人気度１０ｆ、直筆原画注文の有無１０ｇ、作成画像の種類１０ｈ等が表示されている。プロフィール１０ｃのボタンをクリックすると、詳しい経歴、年齢、主な作品等を紹介した画面が開くようになっている。また、この実施の形態は、画像作成者が似顔絵を作成するシステムであるが、作成画像の種類１０ｈでは、ペットの絵も作成することができることを表示している。
【００４６】
このように、ユーザが例えば好みに応じ、あるいは用途に応じて、容易に画像作成者を選択することができ、複数の画像作成者の紹介に基づき、所定の画像作成者の注文ボタン１０ｊをクリックすることで選択される。
【００４７】
図４は画像アップロード画面、図５は似顔絵情報設定画面である。
【００４８】
この実施の形態のユーザ端末３では、図４の画像アップロード画面２０で参照ボタン２０ａを選択し、画像作成の原画の画像２０ｂを指定する。この画像作成の原画の画像２０ｂは、例えばオンラインアルバムボタン２０ｃをクリックしてオンラインアルバムから指定することができる。この画像の指定が終わると、アップロードボタン２０ｄをクリックして送信する。
【００４９】
この実施の形態では、画像作成の注文をユーザの写真画像を用いて行なっており、この場合ユーザが所持する画像データで好みの作風で画像を作ることが可能になる。
【００５０】
また、この実施の形態のユーザ端末３では、図５の似顔絵情報設定画面３０で写真選択表示部３０ａに画像作成の原画の画像を表示し、一人分の似顔絵を作成する場合にはシングル指定部３０ｂのラジオボタンのチェックを行い、二人分の似顔絵を作成する場合にはカップル指定部３０ｃのラジオボタンをチェックする。この指定は排他的に行われ、同時に両方の指定を行うことはできない。図５の例では、シングルを指定した場合であり、シングル指定部３０ｂのラジオボタンにチェックがされている状態を示している。
【００５１】
また、シングル指定部３０ｂで、性別、年齢、似顔絵に入れたい文字等を設定することができる。
【００５２】
カップル指定部３０ｃをチェックした場合は、右に写っている人、左に写っている人というようにそれぞれの人に対してシングル指定部３０ｂと同様な設定を行い、背景選択３０ｄにおいては似顔絵の背景を白にするのか、画家に任せるかの選択をすることができる。
【００５３】
このように、画像作成の原画及び作成に必要な情報を、受発注サーバ２へ送信することで、画像作成者はよりユーザの満足する画像を作成することができる。  図６は注文ユーザ情報入力画面である。この実施の形態のユーザ端末３では、図６の注文ユーザ情報入力画面４０でメ−ルアドレス（半角英数字）、携帯電話メ−ルアドレス（半角英数字）、クレジットカード会社、クレジットカード名義（半角英数字）、クレジットカード番号（半角数字・１６桁）、クレジットカード有効期限（半角数字）等が入力され、携帯電話のメ−ルアドレスを記入したユーザには携帯電話用の似顔絵も送信可能になっている。
【００５４】
図７は注文内容確認画面である。この実施の形態のユーザ端末３では、図７の注文内容確認画面５０でユーザ情報確認表示部５０ａと似顔絵設定情報確認表示部５０ｂで注文内容を確認する。この注文内容確認画面５０は、注文するボタン５０ｃ、似顔絵情報を変更するボタン５０ｄ、ユーザ情報入力を変更するボタン５０ｅ、キャンセルボタン５０ｆが設けられ、注文するボタン５０ｃをクリックすると、図８の注文確認画面が表示される。
【００５５】
この注文確認画面６０では、注文した画像を登録するボタン６０ａをクリックすると、注文ＮＯ．６０ｂと注文内容を記載したメールが届き、注文した画像を登録するボタン６０ｃをクリックすると、注文が終了する。
【００５６】
この後、所定期間、例えば１週間から１０日で注文した画像の作成が完了し、ユーザのメ−ルアドレスに似顔絵を掲載しているＵＲＬの連絡が行なわれる。
【００５７】
図９はＵＲＬへのログイン画面であり、作成されたデジタル画像は、受発注管理者のＵＲＬでユーザに閲覧可能になっている。このこの実施の形態のＵＲＬへのログイン画面７０では、会員ＩＤとパスワードでログインし、似顔絵注文番号の入力で作成されたデジタル画像を閲覧することができる。このようにして、ユーザが閲覧することで、ユーザが満足できない点等があると、修正指令を送信して修正することができる。
【００５８】
図１０は満足度投票画面である。この実施の形態の満足度投票画面８０は、作成した画像の表示部８０ａ、満足度投票部８０ｂ、作成する原画の表示部８０ｃを有し、不満足、普通、満足、非常に満足の評価で満足度投票が行なわれる。例えば、不満足を『−１』、普通を『０』、満足を『＋１』、非常に満足を『＋２』で評価する。このように、人気度が作成された画像に基づきユーザ端末３からユーザが満足度の投票によって決定され、ユーザの満足度を反映した画像作成者の選択が可能である。
【００５９】
また、人気度がユーザ端末３からの画像作成者の選択回数によって決定してもよく、ユーザの選択回数を反映した画像作成者の選択が可能である。
【００６０】
完成した似顔絵を、オンラインラボのオリジンナルグッズ（名刺、メモ帳など）やポストカード、カレンダーに載せて注文することができる。また、完成した似顔絵をオンラインラボに保存することもできる。
【００６１】
図１１は作成された画像の注文画面である。この実施の形態の注文画面９０は、プリント注文ボタン９０ａ、直筆原画注文ボタン９０ｂ、ピクチャーボックス保存ボタン９０ｃを有する。直筆原画注文ボタン９０ｂをクリックすると、図１２の直筆原画注文画面９１が表示される。この直筆原画注文画面９１で送付先・クレジット情報の設定が行なわれる。
【００６２】
また、注文画面９０のプリント注文ボタン９０ａをクリックすると、図１３のプリント注文画面９２が表示される。このプリント注文画面９２で送付先・クレジット情報の設定が行なわれる。
【００６３】
この発明では、ユーザ端末３から複数の画像作成者の選択情報から所定の画像作成者を選択し、選択された画像作成者に画像作成を注文することで、ユーザが希望する似顔絵、建物や名所等の絵等の画像作成のサービスを受けることができる。しかも、少なくとも似顔絵の画像作成のサービスを受けることで、例えばＷｅｂ画面、携帯待ち受け等様々な用途に用いることができる。さらに、画像作成は、デジタル画像、直筆原画を含み、デジタル画像は、例えば、Ｗｅｂ画面、携帯待ち受け等に用い、直筆原画はプレゼントや鑑賞用として用いる等、楽しみ方を一層広げることができる。
【産業上の利用可能性】
【００６４】
この画像作成サービスシステムは、ユーザが希望する画像作成者を選択して似顔絵、建物や名所等の絵等の画像作成のサービスを受けることが可能なサービスシステムに適用できる。
【図面の簡単な説明】
【００６５】
【図１】画像作成サービスシステムを示す図である。
【図２】画像作成サービスシステムのフローを説明する図である。
【図３】ユーザ端末に表示される画像作成者の選択画面である。
【図４】画像アップロード画面を示す図である。
【図５】似顔絵情報設定画面を示す図である。
【図６】注文ユーザ情報入力画面を示す図である。
【図７】注文内容確認画面を示す図である。
【図８】注文確認画面を示す図である。
【図９】ＵＲＬへのログイン画面を示す図である。
【図１０】満足度投票画面を示す図である。
【図１１】作成された画像の注文画面を示す図である。
【図１２】直筆原画注文画面を示す図である。
【図１３】プリント注文画面を示す図である。
【符号の説明】
【００６６】
１  ネットワーク
２  受発注サーバ
３  ユーザ端末
４  画像作成者端末
５  受発注管理者端末
【図１】
2005078362.tif 000003
【図２】
2005078362.tif 000004
【図３】
2005078362.tif 000005
【図４】
2005078362.tif 000006
【図５】
2005078362.tif 000007
【図６】
2005078362.tif 000008
【図７】
2005078362.tif 000009
【図８】
2005078362.tif 000010
【図９】
2005078362.tif 000011
【図１０】
2005078362.tif 000012
【図１１】
2005078362.tif 000013
【図１２】
2005078362.tif 000014
【図１３】
2005078362.tif 000015